(57)【要約】【課題】軽量でかつ分解組立作業が容易であり、更に組み立て状態では高剛性を有し、分解収納状態では外形を小型化できる分解組立式容器を提供する。【解決手段】分解組立式容器１の組み立ては、矩形状を有する床面形成部材１０の互いに対向する一対の下横フレーム１１、１２の上部に、門形枠形状を有する一対の側面形成部材２０、３０を対峙するように取り付けて、側面形成部材２０、３０の互いに対向する上横フレーム２３、３３の両端部間に上横フレーム４０、５０を掛け渡す。そして、上横フレーム４０、側面形成部材２０、３０、床面形成部材１０によって形成される側面と、上横フレーム５０、側面形成部材２０、３０、床面形成部材１０によって形成される側面に、それぞれ対角線状にブレース６０を掛け渡して各結合部分を分解可能に締結することによって行われる。【選択図】図２
2006335433.tif 000002
【特許請求の範囲】
【請求項１】
互いに平行に延在する第１下横フレーム及び第２下横フレーム、前記第１下横フレームの一方端部と前記第２下横フレームの一方端部との間を連結する第３下横フレーム、前記第１下横フレームの他方端部と前記第２下横フレームの他方端部との間を連結する第４下横フレームを有する矩形枠部と、該矩形枠部の中央に形成された開口部分を閉塞する床板とを有して底面を形成する床面形成部材と、
互いに平行に配置されて上下に延在する第１縦フレーム及び第２縦フレーム、前記第１縦フレームの上端部と前記第２縦フレームの上端部との間を連結する第１上横フレームにより門形の枠形状を有し、前記第１縦フレームの下端部を前記第１下横フレームと前記第３下横フレームとの接続部分に取り付けかつ前記第２縦フレームの下端部を前記第１下横フレームと第４下横フレームとの接続部分に取り付けることにより前記第１下横フレームの上部に第１側面を形成する第１側面形成部材と、
互いに平行に延在する第３縦フレーム及び第４縦フレーム、前記第３縦フレームの上端部と前記第４縦フレームの上端部との間を連結する第２上横フレームにより門形の枠形状を有し、前記第３縦フレームの下端部を前記第２下横フレームと前記第３下横フレームとの接続部分に取り付けかつ前記第４縦フレームの下端部を前記第２下横フレームと前記第４下横フレームとの接続部分に取り付けることにより前記第２下横フレームの上部に第２側面を形成する第２側面形成部材と、
前記第３下横フレームと同一の長さを有し、互いに対向する前記第１側面形成部材と前記第２側面形成部材の間でかつ前記第１縦フレームの上端部と前記第３縦フレームの上端部との間に架設することにより前記第３下横フレームの上部に第３側面を形成する第３上横フレームと、
前記第４下横フレームと同一の長さを有し、互いに対向する前記第１側面形成部材と第２側面形成部材の間でかつ前記第２縦フレームの上端部と前記第４縦フレームの上端部との間に架設することにより前記第４下横フレームの上部に第４側面を形成する第４上横フレームと、
前記第３上横フレームを前記第１縦フレームの上端部に分解可能に締結する第１上部締結手段を一端に有し、前記第３縦フレームの下端部を前記第２下横フレームと前記第３下横フレームとの接続部分に締結する第３下部締結手段を他端に有し、前記第３側面の対角線状に架設される第１ブレースと、
前記第３上横フレームを前記第３縦フレームの上端部に分解可能に締結する第３上部締結手段を一端に有し、前記第１縦フレームの下端部を前記第１下横フレームと前記第３下横フレームとの接続部分に締結する第１下部締結手段を他端に有し、前記第３側面の対角線状に架設される第２ブレースと、
前記第４上横フレームを前記第２縦フレームの上端部に分解可能に締結する第２上部締結手段を一端に有し、前記第４縦フレームの下端部を前記第２下横フレームと前記第４下横フレームとの接続部分に締結する第４下部締結手段を他端に有し、前記第４側面の対角線状に架設される第３ブレースと、
前記第４上横フレームを前記第４縦フレームの上端部に分解可能に締結する第４上部締結手段を一端に有し、前記第２縦フレームの下端部を前記第１下横フレームと前記第４下横フレームとの接続部分に締結する第２下部締結手段を他端に有し、前記第４側面の対角線状に架設される第４ブレースと、を有することを特徴とする分解組立式容器。
【請求項２】
前記第１側面形成部材が前記第１縦フレームの上端部及び下端部、前記第２縦フレームの上端部及び下端部を前記第１上横フレームの延在方向に沿って各々貫通するボルト挿通孔を有し、
前記第２側面形成部材が前記第３縦フレームの上端部及び下端部、前記第４縦フレームの上端部及び下端部を前記第２上横フレームの延在方向に沿って各々貫通するボルト挿通孔を有し、
前記第３上横フレームが前記第１縦フレームとの結合部分を貫通して前記第１縦フレームの上端部のボルト挿通孔と同軸上に配置される第１縦フレーム側上ボルト挿通孔と、前記第３縦フレームとの結合部分を貫通して前記第３縦フレームの上端部のボルト挿通孔と同軸上に配置される第３縦フレーム側上ボルト挿通孔を有し、
前記第４上横フレームが前記第２縦フレームとの結合部分を貫通して前記第２縦フレームの上端部のボルト挿通孔と同軸上に配置される第２縦フレーム側上ボルト挿通孔と、前記第４縦フレームとの結合部分を貫通して前記第４縦フレームの上端部のボルト挿通孔と同軸上に配置される第４縦フレーム側上ボルト挿通孔を有し、
前記第３下横フレームが前記第１縦フレームとの結合部分を貫通して前記第１縦フレームの下端部のボルト挿通孔と同軸上に配置される第１縦フレーム側下ボルト挿通孔と、前記第３縦フレームとの結合部分を貫通して前記第３縦フレームの下端部のボルト挿通孔と同軸上に配置される第３縦フレーム側下ボルト挿通孔を有し、
前記第４下横フレームが前記第２縦フレームとの結合部分を貫通して前記第２縦フレームの下端部のボルト挿通孔と同軸上に配置される第２縦フレーム側下ボルト挿通孔と、前記第４縦フレームとの結合部分を貫通して前記第４縦フレームの下端部のボルト挿通孔と同軸上に配置される第４縦フレーム側下ボルト挿通孔を有し、
前記第１上部締結手段が前記第１縦フレームの上端部のボルト挿通孔と前記第３上横フレームの第１縦フレーム側上ボルト挿通孔に挿通され前記第１ブレースの上部に設けられるボルトと該ボルトに螺合されるナットを有し、第３下部締結手段が前記第３縦フレームの下端部のボルト挿通孔と前記第３下横フレームの第３縦フレーム側下ボルト挿通孔に挿通され前記第１ブレースの下部に設けられるボルトと該ボルトに螺合されるナットを有し、
前記第３上部締結手段が前記第３縦フレームの上端部のボルト挿通孔と前記第３下横フレームの第３縦フレーム側上ボルト挿通孔に挿通され前記第２ブレースの上部に設けられるボルトと該ボルトに螺合されるナットを有し、前記第１下部締結手段が前記第１縦フレームの下端部のボルト挿通孔と前記第３下横フレームの前記第１縦フレーム側下ボルト挿通孔に挿通され前記第２ブレースの下部に設けられるボルトと該ボルトに螺合されるナットを有し、
前記第２上部締結手段が前記第２縦フレームの上端部のボルト挿通孔と前記第４上横フレームの第２縦フレーム側上ボルト挿通孔に挿通され前記第３ブレースの上部に設けられるボルトと該ボルトに螺合されるナットを有し、前記第４下部締結手段が前記第４縦フレームの下端部のボルト挿通孔と前記第４下横フレームの第４縦フレーム側下ボルト挿通孔に挿通され前記第３ブレースの下部に設けられるボルトと該ボルトに螺合されるナットを有し、
前記第４上部締結手段が前記第４縦フレームの上端部のボルト挿通孔と前記第４上横フレームの第４縦フレーム側上ボルト挿通孔に挿通され前記第４ブレースの上部に設けられるボルトと該ボルトに螺合されるナットを有し、前記第２下部締結手段が前記第２縦フレームの下端部のボルト挿通孔と前記第４下横フレームの前記第２縦フレーム側下ボルト挿通孔に挿通され前記第４ブレースの下部に設けられるボルトと該ボルトに螺合されるナットを有することを特徴とする請求項１に記載の分解組立式容器。
【請求項３】
前記床面形成部材は、下方に向かって突出する脚部を備え、
該脚部は、複数の前記容器を分解した状態で複数の前記床面形成部材を上下に積み重ねることにより下段に位置する床面形成部材の矩形枠部内に入り込み、下段の床面形成部材に対する相対的な位置決めを行う位置に設けられており、下段に位置する床面形成部材の床板と上段に位置する床面形成部材の床板との間に、前記第１側面形成部材、前記第２側面形成部材、前記第３上横フレーム、前記第４上横フレーム、前記第１ブレース、前記第２ブレース、前記第３ブレース、前記第４ブレースを収納可能な空間部を形成する高さを有することを特徴とする請求項１〜５のいずれか１項に記載の分解組立式容器。
【発明の詳細な説明】
【技術分野】
【０００１】
本発明は、例えば組み立てた状態で自動車のノックダウン部品等を収容してコンテナに載せて輸送し、分解して回収できる分解組立式容器に関する。
【背景技術】
【０００２】
例えば、図１３に示す従来の輸送用梱包箱１００は、腰下部材１０１、つま部材１１１、側部材１２１を備えており、分解組立可能な構成を有している。腰下部材１０１は、矩形枠部材１０２に平板１０３をはめ込んで形成された底面１０４を有し、その底面１０４の四隅には筒状脚１０５がそれぞれ設けられている。そして、底面１０４を介して筒状脚１０５と対応する上部位置には柱受筒１０６が立設されている。柱受筒１０６は、腰下部材１０１を上下に重ねた状態で、筒状脚１０５の下部から筒状脚１０５内に挿入される大きさを有しており、上下の腰下部材１０１の横ずれを防止できるようになっている。
【０００３】
つま部材１１１は、一対の対柱１１２、１１２と、これらの対柱１１２、１１２の頭頂部間を連結する上つま１１３とを有する門形枠部材によって構成されており、その門形枠部材によって形成される面には、２本のブレース１１４が互いに交差して対角線方向に掛け渡されている。そして、対柱１１２、１１２の外側面には、側部材１２１を着脱可能に取り付けるための短管１１５が上下２箇所に縦向きに固着されている。つま部材１１１は、両対柱１１２、１１２の各下端部を柱受筒１０６に上部から挿入して結合することで立て込まれ、腰下部材１０１の互いに対向する辺部から上方に向かって起立し、対峙するように腰下部材１０１に取り付けられる。
【０００４】
側部材１２１は、互いに平行に延在する上桁１２２と下桁１２３と、上下方向に延在して上桁１２２と下桁１２３の両端どうしをつなぐ一対の縦棒部材１２４、１２４とを有する方形枠部材によって形成されており、その方形枠部材によって形成される面には、２本のブレース１２５が互いに交差して対角線方向に掛け渡されている。側部材１２１の上桁１２２と下桁１２３の各両端部には、上桁１２２と下桁１２３の延在する方向に沿って各両端部から突出した端部でそれぞれ下方に向かって折曲されて形成された丸棒鉤片１２６が設けられている。側部材１２１は、各丸棒鉤片１２６をつま部材１１１の短管１１５に上方から差し込むことで結合されて立て込まれ、対峙するつま部材１１１の両端どうしを接続し、つま部材１１１との協同により周状に連続する四面を形成するようになっている。
【０００５】
側部材１２１の上桁１２２の両端には、上部に段積みされる梱包箱１００の筒状脚１０５を受けるための受け皿１２７が固着されている。受け皿１２７は、つま部材１１１の上つまの両端上面に重ねられる大きさを有しており、その上面には、突起部１２８が設けられており、梱包箱１００を段積みしたときに、上段の梱包箱１００の筒状脚１０５に嵌入して横ずれを防止するように構成されている。
【０００６】
上記輸送用梱包箱１００の組み立ては、まず最初に、つま部材１１１の対柱１１２、１１２の下端を腰下部材１０１の柱受筒１０６に挿入して、腰下部材１０１の互いに対向する辺部に一対のつま部材１１１、１１１を立て込む。次いで、側部材１２１の両端をつま部材１１１の同じ側の対柱１１２に結合して、対峙するつま部材１１１の両側の端部をそれぞれ連結する。これにより、腰下部材１０１の四辺に沿って側部材１２１とつま部材１１１が立て込まれ、組み立てられる。
【０００７】
輸送用梱包箱１００の分解は、組み立ての順番と反対の順番で行われる。そして、各腰下部材１０１を上下に重ね合わせた状態で収納される（例えば、特許文献１参照）。
【０００８】
【特許文献１】実開平２−９９７２７号公報
【発明の開示】
【発明が解決しようとする課題】
【０００９】
しかしながら、上記輸送用梱包箱１００は、つま部材１１１が門形枠部材により一体に形成され、かつ側部材１２１が方形枠部材によって一体に形成されており、つま部材１１１及び側部材１２１を更に分解することはできない。よって、分解した状態では、つま部材１１１及び側部材１２１がかさ高となり、その外形を小型化することができない。したがって、分解して輸送或いは保管するときに、広い空間を占有し、コスト高を招来する。
【００１０】
また、上記輸送用梱包箱１００は、側部材１２１の丸棒鉤片１２６をつま部材１１１の短管１１５に挿入して結合しかつ、つま部材１１１の対柱１１２の下端を腰下部材１０１の柱受筒１０６に挿入して結合することによって組み立てる構造を有している。
【００１１】
したがって、各結合部分にそれぞれ組付誤差分を考慮した隙間が必要とされ、組み立てた状態ではその隙間の分だけ各部にガタつきを有する。このような各部のガタつきは、輸送用梱包箱１００全体の剛性を低下させ、輸送用梱包箱１００の段積み作業を阻害する要因にもなり得る。また、つま部材１１１及び側部材１２１の単体での変形を極力抑えるべく、外形を大きくして剛性を高くしなければならない。したがって、重量が増加し、輸送コストの増大を招くおそれがある。
【００１２】
本発明は、これらの点に鑑みてなされたものであり、その目的は、軽量でかつ分解組立作業が容易であり、更に組み立て状態では高剛性を有し、分解収納状態では外形を小型化できる分解組立式容器を提供することにある。
【課題を解決するための手段】
【００１３】
上記課題を解決する分解組立式容器の発明は、互いに平行に延在する第１下横フレーム及び第２下横フレーム、第１下横フレームの一方端部と第２下横フレームの一方端部との間を連結する第３下横フレーム、第１下横フレームの他方端部と第２下横フレームの他方端部との間を連結する第４下横フレームを有する矩形枠部と、矩形枠部の中央に形成された開口部分を閉塞する床板とを有して底面を形成する床面形成部材と、互いに平行に配置されて上下に延在する第１縦フレーム及び第２縦フレーム、第１縦フレームの上端部と第２縦フレームの上端部との間を連結する第１上横フレームにより門形の枠形状を有し、第１縦フレームの下端部を第１下横フレームと第３下横フレームとの接続部分に取り付けかつ第２縦フレームの下端部を第１下横フレームと第４下横フレームとの接続部分に取り付けることにより第１下横フレームの上部に第１側面を形成する第１側面形成部材と、互いに平行に延在する第３縦フレーム及び第４縦フレーム、第３縦フレームの上端部と第４縦フレームの上端部との間を連結する第２上横フレームにより門形の枠形状を有し、第３縦フレームの下端部を第２下横フレームと第３下横フレームとの接続部分に取り付けかつ第４縦フレームの下端部を第２下横フレームと第４下横フレームとの接続部分に取り付けることにより第２下横フレームの上部に第２側面を形成する第２側面形成部材と、第３下横フレームと同一の長さを有し、互いに対向する第１側面形成部材と第２側面形成部材の間でかつ第１縦フレームの上端部と第３縦フレームの上端部との間に架設することにより第３下横フレームの上部に第３側面を形成する第３上横フレームと、第４下横フレームと同一の長さを有し、互いに対向する第１側面形成部材と第２側面形成部材の間でかつ第２縦フレームの上端部と第４縦フレームの上端部との間に架設することにより第４下横フレームの上部に第４側面を形成する第４上横フレームと、第３上横フレームを第１縦フレームの上端部に分解可能に締結する第１上部締結手段を一端に有し、第３縦フレームの下端部を第２下横フレームと第３下横フレームとの接続部分に締結する第３下部締結手段を他端に有し、第３側面の対角線状に架設される第１ブレースと、第３上横フレームを第３縦フレームの上端部に分解可能に締結する第３上部締結手段を一端に有し、第１縦フレームの下端部を第１下横フレームと第３下横フレームとの接続部分に締結する第１下部締結手段を他端に有し、第３側面の対角線状に架設される第２ブレースと、第４上横フレームを第２縦フレームの上端部に分解可能に締結する第２上部締結手段を一端に有し、第４縦フレームの下端部を第２下横フレームと第４下横フレームとの接続部分に締結する第４下部締結手段を他端に有し、第４側面の対角線状に架設される第３ブレースと、第４上横フレームを第４縦フレームの上端部に分解可能に締結する第４上部締結手段を一端に有し、第２縦フレームの下端部を第１下横フレームと第４下横フレームとの接続部分に締結する第２下部締結手段を他端に有し、第４側面の対角線状に架設される第４ブレースと、を有することを特徴とする。
【発明の効果】
【００１４】
本発明によると、分解組立式容器１は、矩形状を有する底面形成部材、門形の枠形状を有する第１側面形成部材及び第２側面形成部材、第３上横フレーム及び第４上横フレームの各結合部分が、第１ブレース〜第４ブレースの各締結手段によって締結されて固定されるので、全体の剛性が高くなり、各部材が有する強度を最大限利用でき、分解組立式容器の構造を強固なものにすることができる。
【００１５】
そして、第１ブレースの第１上部締結手段と第３下部締結手段、第２ブレースの第３上部締結手段と第１下部締結手段、第３ブレースの第２上部締結手段と第４下部締結手段、第４ブレースの第４上部締結手段と第２下部締結手段により、合計で８箇所の結合部分を締結し、また、その締結を解除するのみで、分解組立式容器の組み立てと分解を行うことができる。したがって、短時間で分解組立式容器の組み立て及び分解を完了することができ、分解組み立ての作業時間の短縮化を図ることができる。
【発明を実施するための最良の形態】
【００１６】
次に、本発明の実施の形態について図に基づいて説明する。
【００１７】
図１は、本実施の形態に係わる分解組立式容器の組み立て状態を示す斜視図、図２は、図１の分解斜視図、図３は、分解組立式容器の分解収納状態を示す斜視図である。そして、図４は、図１のＡ方向矢視図、図５は、図４のＢ部拡大図、図６は、図５のＣ方向矢視図、図７は、図５のＤ方向矢視図、図８は、図４のＥ部拡大図、図９は、図４のＦ方向矢視図、図１０は、図８のＧ−Ｇ線断面図、図１１は、図８のＨ方向矢視図である。尚、説明の便宜上、図１及び図２において、矢印Ｆｒ方向を前側、矢印Ｒ方向を右側、矢印Ｕ方向を上側として説明する。また、図６は、構造の理解を容易ならしめるべく、床板１６及びブレース６０を取り外した状態を示しており、床板１６は二点鎖線で示している。
【００１８】
本実施の形態における分解組立式容器１は、自動車のノックダウン部品等を収容してコンテナに載せて輸送するためのものであり、図１及び図２に示すように、床面形成部材１０と、右側面形成部材２０と、左側面形成部材３０と、前上横フレーム４０と、後上横フレーム５０と、ブレース６０を備えている。
【００１９】
床面形成部材１０は、矩形枠部１５と床板１６を有しており、分解組立式容器１の下部に底面を形成するように構成されている。矩形枠部１５は、互いに平行に延在する右下横フレーム（第１下横フレーム）１１及び左下横フレーム（第２下横フレーム）１２、右下横フレーム１１の前端部（第１下横フレームの一方端部）と左下横フレーム１２の前端部（第２下横フレームの一方端部）との間を連結する前下横フレーム（第３下横フレーム）１３、右下横フレーム１１の後端部（第１下横フレームの他方端部）と左下横フレーム１２の後端部（第２下横フレームの他方端部）との間を連結する後下横フレーム（第４下横フレーム）１４を有している。
【００２０】
矩形枠部１５の右下横フレーム１１、左下横フレーム１２、前下横フレーム１３、後下横フレーム１４は、例えば図５〜図７に示すように、断面が略Ｌ型の等辺山形鋼によって構成されており、各垂直片１１ａ、１２ａ、１３ａ、１４ａが上方に向かって突出し、各水平片１１ｂ、１２ｂ、１３ｂ、１４ｂが対向するフレームに向かって水平に突出するように組み合わされて溶接により結合されている。
【００２１】
矩形枠部１５の中央には、右下横フレーム１１、左下横フレーム１２、前下横フレーム１３、後下横フレーム１４によって囲まれる開口部が形成されており、矩形の平板形状を有する床板１６によって閉塞されている。床板１６は、薄肉鋼板によって構成されており、その外周縁部が右下横フレーム１１、左下横フレーム１２、前下横フレーム１３、後下横フレーム１４の各水平片１１ｂ、１２ｂ、１３ｂ、１４ｂの上面に溶接固定されている。
【００２２】
そして、前下横フレーム１３及び後下横フレーム１４の左右の両端部には、図２に示すように、右側面形成部材２０及び左側面形成部材３０を起立した状態で取り付けるためのフレームガイド１３ｃ、１４ｃと、ボルト挿通孔１３ｄ、１４ｄが各々設けられている。
【００２３】
フレームガイド１３ｃは、例えば図５及び図６に示すように、前下横フレーム１３の左端部において左下横フレーム１２の垂直片１２ａから所定距離だけ離間した位置で前下横フレーム１３の垂直片１３ａから枠内に向かって突出して設けられている。また、特に図示していないが、前下横フレーム１３の右端部においても垂直片１３ａから枠内に向かって突出して設けられている。同様に、フレームガイド１４ｃは、後下横フレーム１４の右端部と左端部において垂直片１４ａからそれぞれ枠内に向かって突出して設けられている。
【００２４】
前下横フレーム１３の左端部に位置するボルト挿通孔１３ｄ（第３縦フレーム側下ボルト挿通孔）は、例えば図５及び図７に示すように、前下横フレーム１３の左端部において左下横フレーム１２の垂直片１２ａとフレームガイド１３ｃとの間の位置で、垂直片１３ａを前後に貫通して形成されている。また、前下横フレーム１３の右端部に位置するボルト挿通孔１３ｄ（第１縦フレーム側下ボルト挿通孔）は、例えば図２に示すように、前下横フレーム１３の右端部においても、右下横フレーム１１の垂直片１１ａとフレームガイド１３ｃとの間の位置で、垂直片１３ａを前後に貫通して形成されている。同様に、後下横フレーム１４の左端部に位置するボルト挿通孔１４ｄ（第４縦フレーム側下ボルト挿通孔）は、左下横フレーム１２の垂直片１２ａとフレームガイド１４ｃとの間の位置で、垂直片１４ａを前後に貫通して形成されており、また、後下横フレーム１４の右端部に位置するボルト挿通孔１４ｄ（第２縦フレーム側下ボルト挿通孔）は、右下横フレーム１１の垂直片１１ａとフレームガイド１４ｃとの間の位置で、垂直片１４ａを前後に貫通して形成されている。
【００２５】
矩形枠部１５の下面には、脚部１７が矩形枠部１５の四隅にそれぞれ設けられている。脚部１７は、矩形枠部１５を地面から所定高さ上方の位置に配置すると共に、例えば図３に示すように、複数の床面形成部材１０を上下に積み重ねたときに、矩形枠部１５の枠内に入り込み、各床面形成部材１０が相対的に横方向にずれるの防止するようになっている。
【００２６】
脚部１７は、例えば図４、図５、図７に示すように、扁平の角パイプを、前下横フレーム１３の両端部及び後下横フレーム１４の両端部で、右下横フレーム１１の水平片１１ａの下面及び左下横フレーム１２の水平片１２ａの下面に沿ってそれぞれ延在するように設けられている。そして、矩形枠部１５の下面に結合される上壁部１７ａと、上壁部１７ａの両端縁でそれぞれ下方に向かって折曲されて対峙する一対の縦壁部１７ｂ、１７ｂと、一対の縦壁部１７ｂ、１７ｂの下端を連結する下壁部１７ｃを有している。
【００２７】
一対の縦壁部１７ｂ、１７ｂは、図３に示すように、複数の床面形成部材１０を上下に積み重ねたときに、下段に位置する矩形枠部１５の垂直片１３ａ、１４ａの上端と、上段に位置する矩形枠部１５の垂直片１３ａ、１４ａの下端との間に、例えばフォークリフトの爪（図示せず）を差し込むことが可能な間隙Ｋを形成する大きさに設定されており、下段に位置する床板１６と上段に位置する床板１６との間に、右側面形成部材２０、左側面形成部材３０、前上横フレーム４０、後上横フレーム５０、ブレース６０等、床面形成部材１０以外の構成部品を収容可能な空間部が形成される。
【００２８】
そして、下壁部１７ｃには、分解組立式容器１を組み立てた状態で上下に積み重ねた際に、下方に位置する分解組立式容器１に対して位置決めするための切欠部１７ｄが設けられている。
【００２９】
切欠部１７ｄは、例えば図１〜図３、図７に示すように、前下横フレーム１３の両端部に設けられた脚部１７では、下壁部１７ｃの前端縁から後方に向かって凹むように切り欠かれて各々形成されている。そして、特に図示していないが、後下横フレーム１４の両端部に設けられた脚部１７では、下壁部１７ｃの後端縁から前方に向かって凹むように切り欠かれて各々形成されている。
【００３０】
切欠部１７ｄは、図７のＪ方向矢視図である図７（ａ）に示すように、一対の縦壁部１７ｂ、１７ｂの両下端の中央位置を中心位置として半円弧状に切欠形成されている。また、切欠部１７ｄは、図７（ｂ）に示すように、一方の端部から他方に向かって移行するにしたがって互いに漸次接近する方向に移行する一対の傾斜辺を有した、いわゆる谷形状に切欠形成してもよい。
【００３１】
また、矩形枠部１５の下面には、複数本の床下フレーム１８とフォークガイド１９が設けられている。床下フレーム１８は、脚部１７よりも外形が小さい扁平の角パイプ１８ａと、帯板状の平板部材によって構成されたフラットバー１８ｂの２種類があり、角パイプ１８ａは、右下横フレーム１１から左下横フレーム１２までの間に所定間隔を有して配置されかつ前下横フレーム１３と後下横フレーム１４との間に亘って延在するように設けられ、フラットバー１８ｂは、前下横フレーム１３から後下横フレーム１４までの間に所定間隔を有して配置されかつ右下横フレーム１１と左下横フレーム１２との間に亘って延在するように設けられている。
【００３２】
フォークガイド１９は、床面形成部材１０の下側に例えばフォークリフト（図示せず）の爪等を挿入して持ち上げる際に、爪と当接して案内する部材である。フォークガイド１９は、図４及び図５に示すように、フォークリフトの爪等の横幅よりも若干広い横幅を有し、その両側端部をフランジ曲げした平板部材によって構成されており、右下横フレーム１１及び左下横フレーム１２に沿って各々延在するように対をなして設けられ、前下横フレーム１３と後下横フレーム１４との間に亘って延在するように配置されている。
【００３３】
右側面形成部材２０（第１側面形成部材）は、例えば図２に示すように、互いに平行に配置されて上下に延在する右前縦フレーム（第１縦フレーム）２１及び右後縦フレーム（第２縦フレーム）２２、そして、右前縦フレーム２１の上端部と右後縦フレーム２２の上端部との間を連結する右上横フレーム（第１上横フレーム）２３により門形に形成された門形枠部２５を有している。そして、右前縦フレーム２１の下端を前下横フレーム１３の右端部（第１下横フレームと第３下横フレームとの接続部分）に取り付けかつ右後縦フレーム２２の下端を後下横フレーム１４の右端部（第１下横フレームと第４下横フレームとの接続部分）に取り付けることにより右下横フレーム１１の上部に右側面（第１側面）を形成するように構成されている。
【００３４】
門形枠部２５の右前縦フレーム２１、右後縦フレーム２２、右上横フレーム２３は、矩形枠部１５の右下横フレーム１１等と同一の等辺山形鋼からなり、右前縦フレーム２１の前後片２１ａが後方に向かって突出しかつ左右片２１ｂが左に向かって突出し、右後縦フレーム２２の前後片２２ａが前方に向かって突出しかつ左右片２２ｂが左に向かって突出し、右上横フレーム２３の垂直片２３ａが下方に向かって突出しかつ水平片２３ｂが左に向かって突出するように組み合わされ、溶接により互いに結合されて形成されている。
【００３５】
門形枠部２５には、一対の固定ブレース２６が互いに交差して右側面の対角線状に掛け渡されるように設けられている。固定ブレース２６は、丸棒部材によって構成されており、一方の固定ブレース２６は、例えば図１〜図３、図１１に示すように、右前縦フレーム２１の前後片２１ａの下部外側面に一端が溶接結合され、かつ右後縦フレーム２２の前後片２２ａの上部外側面に他端が溶接結合されている。そして、他方の固定ブレース２６は、右前縦フレーム２１の前後片２１の上部外側面に一端が溶接結合され、右後縦フレーム２２の前後片２２ａの下部外側面に他端が溶接結合されている。
【００３６】
また、右前縦フレーム２１の上端部には、例えば図８、図１０、図１１に示すように、前上横フレーム４０の右端部を結合するためのボルト挿通孔２１ｃが、左右片２１ｂを前後に貫通して形成されている。また、右後縦フレーム２２の上端部には、図２に示すように、後上横フレーム４０の右端部を締結するためのボルト挿通孔２２ｃが、左右片２２ｂを前後に貫通して形成されている。
【００３７】
また、右前縦フレーム２１の下部には、右前縦フレーム２１の下端を前下横フレーム１３の右端部に締結するためのボルト挿通孔２１ｄが、左右片２１ｂを前後方向に貫通して形成されており、右後縦フレーム２２の下部には、右後縦フレーム２２の下端を後下横フレーム１４の右端部に締結するためのボルト挿通孔２２ｄが、左右片２２ｂを前後に貫通して形成されている。
【００３８】
右側面形成部材２０は、床面形成部材１０の上方から右前縦フレーム２１の下端を前下横フレーム１３のフレームガイド１３ｃと右下横フレーム１１の垂直片１１ａとの間に差し込み、かつ右後縦フレーム２２の下端を後下横フレーム１４のフレームガイド１４ｃと右下横フレーム１１の垂直片１１ａとの間に差し込むことによって、床面形成部材１０の右下横フレーム１１の上部に起立し、右側面を形成する。そして、右前縦フレーム２１のボルト挿通孔２１ｄが前下横フレーム１３の右端部のボルト挿通孔１３ｄと連通し、右後縦フレーム２２のボルト挿通孔２２ｄが後下横フレーム１４の右端部のボルト挿通孔１４ｄと連通するように構成されている。
【００３９】
左側面形成部材３０（第２側面形成部材）は、例えば図２に示すように、互いに平行に配置されて上下に延在する左前縦フレーム（第３縦フレーム）３１及び左後縦フレーム（第４縦フレーム）３２、そして、左前縦フレーム３１の上端部と左後縦フレーム３２の上端部との間を連結する左上横フレーム（第２上横フレーム）３３により門形に形成された門形枠部３５を有している。そして、左前縦フレーム３１の下端を前下横フレーム１３の左端部（第１下横フレームと第３下横フレームとの接続部分）に取り付けかつ左後縦フレーム３２の下端を後下横フレーム１４の左端部（第１下横フレームと第４下横フレームとの接続部分）に取り付けることにより左下横フレーム１２の上部に左側面（第２側面）を形成するように構成されている。
【００４０】
門形枠部３５の左前縦フレーム３１、左後縦フレーム３２、左上横フレーム３３は、矩形枠部１５の左下横フレーム１２等と同一の等辺山形鋼からなり、左前縦フレーム３１の前後片３１ａが後方に向かって突出しかつ左右片３１ｂが左に向かって突出し、左後縦フレーム３２の前後片３２ａが前方に向かって突出しかつ左右片３２ｂが左に向かって突出し、左上横フレーム３３の垂直片３３ａが下方に向かって突出しかつ水平片３３ｂが左に向かって突出するように組み合わされ、溶接により互いに結合されて形成されている。
【００４１】
門形枠部３５には、一対の固定ブレース３６が互いに交差して左側面の対角線状に掛け渡されるように設けられている。固定ブレース３６は、丸棒部材によって構成されており、一方の固定ブレース３６は、例えば図１〜図３に示すように、左前縦フレーム３１の前後片３１ａの下部外側面に一端が溶接結合され、かつ左後縦フレーム３２の前後片３２ａの上部外側面に他端が溶接結合されている。そして、他方の固定ブレース３６は、左前縦フレーム３１の前後片３１の上部外側面に一端が溶接結合され、左後縦フレーム３２の前後片３２ａの下部外側面に他端が溶接結合されている。
【００４２】
また、左前縦フレーム３１の上端部には、図２に示すように、前上横フレーム４０の左端部を締結するためのボルト挿通孔３１ｃが、左右片３１ｂを前後方向に貫通して形成されており、左後縦フレーム３２の上端部には、後上横フレーム４０の左端部を締結するためのボルト挿通孔３２ｃが、左右片３２ｂを前後方向に貫通して形成されている。
【００４３】
また、左前縦フレーム３１の下部には、左前縦フレーム３１の下端を前下横フレーム１３の左端部に締結するためのボルト挿通孔３１ｄが、左右片３１ｂを前後方向に貫通して形成されており、左後縦フレーム３２の下部には、左後縦フレーム３２の下端を後下横フレーム１４の左端部に締結するためのボルト挿通孔３２ｄが、左右片３２ｂを前後方向に貫通して形成されている。
【００４４】
左側面形成部材３０は、床面形成部材１０の上方から左前縦フレーム３１の下端を前下横フレーム１３のフレームガイド１３ｃと左下横フレーム１２の垂直片１２ａとの間に差し込み、かつ左後縦フレーム３２の下端を後下横フレーム１４のフレームガイド１４ｃと左下横フレーム１２の垂直片１２ａとの間に差し込むことによって、床面形成部材１０の左下横フレーム１２の上部に起立し、左側面を形成する。そして、左前縦フレーム３１のボルト挿通孔３１ｄが前下横フレーム１３の左端部のボルト挿通孔１３ｄと連通し、左後縦フレーム３２のボルト挿通孔３２ｄが後下横フレーム１４の左端部のボルト挿通孔１４ｄと連通するように構成されている。
【００４５】
前上横フレーム（第３上横フレーム）４０は、例えば図１、図２、図４に示すように、前下横フレーム（第３下横フレーム）１３と同一の長さを有し、互いに対向する右側面形成部材（第１側面形成部材）２０と左側面形成部材（第２側面形成部材）３０との間でかつ右前縦フレーム（第１縦フレーム）２１の上端部と左前縦フレーム（第３縦フレーム）３１の上端部との間に架設することにより前下横フレーム（第３下横フレーム）１３の上部に前面（第３側面）を形成するように構成されている。
【００４６】
前上横フレーム４０は、矩形枠部１５の前下横フレーム１３等と同一の等辺山形鋼によって構成されており、垂直片４０ａが下方に向かって垂下し、水平片４０ｂが後方に向かって突出する姿勢状態で、右端部が右前縦フレーム２１の上端部に取り付けられ、左端部が左前縦フレーム３１の上端部に取り付けられる。
【００４７】
前上横フレーム４０の右端部は、例えば図８〜図１１に示すように、水平片４０ｂが右前縦フレーム２１の上に載せられ、垂直片４０ａが右前縦フレーム２１の左右片２１ｂの前面に対向して互いに重なり合うように配置される。そして、前上横フレーム４０の水平片４０ｂの上面が右上横フレーム２３の水平片２３ｂの上面と面一となるように取り付けられる。
【００４８】
また、前上横フレーム４０の左端部は、水平片４０ｂが左前縦フレーム３１の上に載せられ、垂直片４０ａが左前縦フレーム３１の左右片３１ｂの前面に対向して互いに重なり合うように配置される。そして、前上横フレーム４０の水平片４０ｂの上面が左上横フレーム３３の水平片３３ｂの上面と面一となるように取り付けられる。
【００４９】
前上横フレーム４０の右端部と左端部には、水平片４０ｂの上面から上方に向かってそれぞれ突出するように突起部４１がそれぞれ設けられており、例えば図８に２点鎖線で示すように、別の分解組立式容器１を上方に積み重ねた際に、床面形成部材１０の脚部１７の切欠部１７ｄと嵌合して、上方に積み重ねられる分解組立式容器１の位置決めをすることができるように構成されている。
【００５０】
突起部４１は、図８、図９、図１１に示すように、水平片４０ｂの上面に下端が固定されて上方に向かって一定径を有して延在する胴部４２ａと、胴部４２ａの上端から上方に移行するにしたがって漸次縮径するテーパ部４２ｂを有したボス４２を備えている。このボス４２によれば、他の分解組立式容器１を上方に積み重ねるときに、脚部１７をテーパ部４２ｂによって案内することができ、切欠部１７ｄと容易に嵌合させることができる。
【００５１】
突起部４１は、上記形状に限定されるものではなく、脚部１７の切欠部１７ｄと嵌合して位置決めできる形状であればよい。例えば、突起部４１の他の実施例を示す斜視図である図１２の図中（ａ）及び（ｂ）に示すように、前上横フレーム４０とは別部材によって構成され、水平片４０ｂの上面に下端が固定されて上方に向かって一定径を有して延在する円柱状の胴部４３ａを有したボス４３、或いは円筒状の胴部４４ａを有したボス４４であってもよい。
【００５２】
突起部４１は、ボス４２、４３、４４のように別部材を前上横フレーム４０に固定することによって形成されるものに限定されるものではなく、前上横フレーム４０に変形加工を施すことによって一体に形成してもよい。例えば、図１２（ｃ）に示すように、水平片４０ｂの後端から前方に向かって延在するように水平片４０ｂに一対の切り込みを入れて、その一対の切り込みの間に形成された舌片４５を上方に折り曲げて形成してもよい。また、図１２（ｄ）に示すように、水平片４０ｂにエンボス加工を施し、上方に向かって所定高さだけ突出する山形状の凸部４６としてもよい。そして更に、図１２（ｅ）に示すように、水平片４０ｂの後端と前端との間に左右方向に切り込みを入れて、その切り込みよりも前方部分を上方に向かって突出する方向にプレス加工を施し、前端側から後端側に移行するにしたがって漸次上方に移行するように傾斜して突出し、切り込み部分が上下に離間して後方に向かって開口する、いわゆるルーバ形状の凸部４７としてもよい。
【００５３】
また、前上横フレーム４０の右端部と左端部には、図２に示すように、ボルト挿通孔（第１縦フレーム側上ボルト挿通孔と第３縦フレーム側上ボルト挿通孔）４０ｃが穿設されている。ボルト挿通孔４０ｃは、前上横フレーム４０の右端部と左端部を、それぞれ右前縦フレーム２１の上端部と左前縦フレーム３１の上端部に締結するためのものであり、垂直片４０ａを前後に貫通して形成されている。そして、左端部と右端部の水平片４０ｂを右前縦フレーム２１の上端部及び左前縦フレーム３１の上端部に載せることによって、右端部のボルト挿通孔４０ｃが右前縦フレーム２１のボルト挿通孔２１ｃと同軸上に配置されて連通し、左端部のボルト挿通孔４０ｃが左前縦フレーム３１のボルト挿通孔３１ｃと同軸上に配置されて連通するように構成されている。
【００５４】
後上横フレーム（第４上横フレーム）５０は、例えば図１及び図２に示すように、後下横フレーム（第４下横フレーム）１４と同一の長さを有し、互いに対向する右側面形成部材（第１側面形成部材）２０と左側面形成部材（第２側面形成部材）３０の間でかつ右後縦フレーム（第３縦フレーム）２２の上端と左後縦フレーム（第４縦フレーム）３２の上端との間に架設することにより後下横フレーム（第４下横フレーム）１４の上部に後面（第４側面）を形成するように構成されている。
【００５５】
後上横フレーム５０は、矩形枠部１５の後下横フレーム１４等と同一の等辺山形鋼によって構成されており、垂直片５０ａが下方に向かって垂下し、水平片５０ｂが前方に向かって突出する姿勢状態で、右端部が右後縦フレーム２２の上端部に取り付けられ、左端部が左後縦フレーム３２の上端部に取り付けられる。
【００５６】
後上横フレーム５０の右端部は、水平片５０ｂが右後縦フレーム２２の上に載せられ、垂直片５０ａが右後縦フレーム２２の左右片２２ｂの前面に対向して互いに重なり合うように配置される。そして、後上横フレーム５０の水平片５０ｂの上面が右上横フレーム３３の水平片３３ｂの上面と面一となるように取り付けられる。
【００５７】
また、後上横フレーム５０の左端部は、水平片５０ｂが左後縦フレーム３２の上に載せられ、垂直片５０ａが左後縦フレーム３２の左右片３２ｂの前面に対向して互いに重なり合うように配置される。そして、後上横フレーム５０の水平片５０ｂの上面が左上横フレーム３３の水平片３３ｂの上面と面一となるように取り付けられる。
【００５８】
後上横フレーム５０の右端部と左端部には、水平片５０ｂの上面から上方に向かって突出するように突起部５１がそれぞれ設けられており、突起部４１と同様に、別の分解組立式容器１を組み立てた状態で上方に積み重ねた際に、床面形成部材１０の脚部１７の切欠部１７ｄと嵌合して、上方に積み重ねられる分解組立式容器１の位置決めをすることができるように構成されている。突起部５１の構成については、突起部４１と同様の構成を有しているのでその詳細な説明を省略する。
【００５９】
また、後上横フレーム５０の右端部と左端部には、図２に示すように、ボルト挿通孔（第２フレーム側上ボルト挿通孔と第４フレーム側上ボルト挿通孔）５０ｃが穿設されている。ボルト挿通孔５０ｃは、後上横フレーム５０の右端部と左端部を、それぞれ右後縦フレーム２２の上端部と左後縦フレーム３２の上端部に締結するためのものであり、垂直片５０ａを前後に貫通して形成されている。そして、左端部と右端部の水平片５０ｂを右後縦フレーム２２の上端部及び左後縦フレーム３２の上端部に載せることによって、右端部のボルト挿通孔５０ｃが右後縦フレーム２２のボルト挿通孔２２ｃと同軸上に配置されて連通し、左端部のボルト挿通孔５０ｃが左後縦フレーム３２のボルト挿通孔３２ｃと同軸上に配置されて連通するように構成されている。
【００６０】
ブレース６０は、右前縦フレーム２１、左前縦フレーム３１、前下横フレーム１３、前上横フレーム４０によって形成される前面、及び右後縦フレーム２２、左後縦フレーム３２、後下横フレーム１４、後上横フレーム５０によって形成される後面においてそれぞれ対角線状に架設されるように合計で４本が取り付けられる。
【００６１】
例えば前面では、一本のブレース６０（第１ブレース）が、前上横フレーム４０の右端部を右前縦フレーム２１の上端部に締結しかつ左前縦フレーム３１の下端部を前下横フレーム１３の左端部に締結して、前上横フレーム４０の右端部と、前下横フレーム１３の左端部との間に対角線状に架設され、他の一本のブレース６０（第２ブレース）が、前上横フレーム４０の左端部を左前縦フレーム３１の上端部に締結しかつ右前縦フレーム２１の下端部を前下横フレーム１３の右端部に締結して、前上横フレーム４０の左端部と、前下横フレーム１３の右端部との間に対角線状に架設されるように構成されている。
【００６２】
そして後面では、一本のブレース６０（第３ブレース）が、後上横フレーム５０の右端部を右後縦フレーム２２の上端部に締結しかつ左後縦フレーム３２の下端部を後下横フレーム１４の左端部に締結して、後上横フレーム５０の右端部と、後下横フレーム１４の左端部との間に対角線状に架設され、他の一本のブレース６０（第４ブレース）が、後上横フレーム５０の左端部を左後縦フレーム３２の上端部に締結しかつ右後縦フレーム２２の下端部を後下横フレーム１４の右端部に締結して、後上横フレーム５０の左端部と、後下横フレーム１４の右端部との間に対角線状に架設されるように構成されている。
【００６３】
各ブレース６０は、一直線状に延在する丸棒部材６５の両端に各々締結手段６１を備えている。締結手段６１は、帯状の薄板鋼板により形成された平板部６２と、その平板部６２の一方の平面から垂直に延出するボルト６３と、そのボルト６３に螺合されるナット６４を有している。ボルト６３は、基端が平板部６２に溶接されて一体に固定されたウェルドボルトにより構成されている。
【００６４】
そして、前面で、前上横フレーム４０の右端部と、前下横フレーム１３の左端部との間に対角線状に架設されるブレース（第１ブレース）６０は、例えば図２、図８、図１０に示すように、一方の締結手段（第１上部締結手段）６１のボルト６３を右前縦フレーム２１の左右片２１ａの後側からボルト挿通孔２１ｃに挿通させて、前上横フレーム４０の右端部のボルト挿通孔４０ｃを通過して前方に突出させ、ボルト６３の先端にナット６４を螺合することにより、平板部６２とナット６４との間に、右前縦フレーム２１の左右片２１ａと前上横フレーム４０の垂直片４０ａを重ね合わせた状態で分解可能に締結することができる。そして、図２、図５、図７に示すように、他方の締結手段（第３下部締結手段）６１のボルト６３を左前縦フレーム３１の左右片３１ａの後側からボルト挿通孔３１ｄに挿通させて、前下横フレーム１３の左端部のボルト挿通孔１３ｄを通過して前方に突出させ、ボルト６３の先端にナット６４を螺合することにより、平板部６２とナット６４との間に、左前縦フレーム３１の左右片３１ａと前下横フレーム１３の垂直片１３ａを重ね合わせた状態で分解可能に締結することができる。
【００６５】
同様に、前面で、前上横フレーム４０の左端部と、前下横フレーム１３の右端部との間に対角線状に架設されるブレース（第２ブレース）６０は、特に拡大図として示さないが、一方の締結手段（第３上部締結手段）６１のボルト６３を左前縦フレーム３１の左右片３１ａの後側からボルト挿通孔３１ｃに挿通させて、前上横フレーム４０の左端部のボルト挿通孔４０ｃを通過して前方に突出させ、ボルト６３の先端にナット６４を螺合することにより、平板部６２とナット６４との間に、左前縦フレーム３１の左右片３１ａと前上横フレーム４０の垂直片４０ａを重ね合わせた状態で分解可能に締結することができる。そして、他方の締結手段（第１下部締結手段）６１のボルト６３を右前縦フレーム２１の左右片２１ａの後側からボルト挿通孔２１ｄに挿通させて、前下横フレーム１３の右端部のボルト挿通孔１３ｃを通過して前方に突出させ、ボルト６３の先端にナット６４を螺合することにより、平板部６２とナット６４との間に、右前縦フレーム２１の左右片２１ａと前下横フレーム１３の垂直片１３ａを重ね合わせた状態で分解可能に締結することができる。
【００６６】
そして、例えば後面で、後上横フレーム５０の右端部と、後下横フレーム１４の左端部との間に対角線状に架設されるブレース（第３ブレース）６０は、一方の締結手段（第２上部締結手段）６１のボルト６３を右後縦フレーム２２の左右片２２ａの前側からボルト挿通孔２２ｃに挿通させて、後上横フレーム５０の右端部のボルト挿通孔５０ｃを通過して後方に突出させ、ボルト６３の先端にナット６４を螺合することにより、平板部６２とナット６４との間に、右後縦フレーム２２の左右片２２ａと後上横フレーム５０の垂直片５０ａを重ね合わせた状態で分解可能に締結することができる。そして、他方の締結手段（第４下部締結手段）６１のボルト６３を左後縦フレーム３２の左右片３２ａの前側からボルト挿通孔３１ｄに挿通させて、後下横フレーム１４の左端部のボルト挿通孔１４ｄを通過して後方に突出させ、ボルト６３の先端にナット６４を螺合することにより、平板部６２とナット６４との間に、左後縦フレーム３２の左右片３２ａと後下横フレーム１４の垂直片１４ａを重ね合わせた状態で分解可能に締結することができる。
【００６７】
同様に、後面で、後上横フレーム５０の左端部と、後下横フレーム１４の右端部との間に対角線状に架設されるブレース（第４ブレース）６０は、特に拡大図として示さないが、一方の締結手段（第４上部締結手段）６１のボルト６３を左後縦フレーム３２の左右片３２ａの前側からボルト挿通孔３２ｃに挿通させて、後上横フレーム５０の左端部のボルト挿通孔５０ｃを通過して後方に突出させ、ボルト６３の先端にナット６４を螺合することにより、平板部６２とナット６４との間に、左後縦フレーム３２の左右片３２ａと後上横フレーム５０の垂直片５０ａを重ね合わせた状態で分解可能に締結することができる。そして、他方の締結手段（第２下部締結手段）６１のボルト６３を右後縦フレーム２２の左右片２２ａの前側からボルト挿通孔２２ｄに挿通させて、後下横フレーム１４の右端部のボルト挿通孔１４ｃを通過して後方に突出させ、ボルト６３の先端にナット６４を螺合することにより、平板部６２とナット６４との間に、右後縦フレーム２２の左右片２２ａと後下横フレーム１４の垂直片１４ａを重ね合わせた状態で分解可能に締結することができる。
【００６８】
上記分解組立式容器１の組み立ては、まず、床面形成部材１０に右側面形成部材２０と左側面形成部材３０を取り付け、次いで、右側面形成部材２０と左側面形成部材３０との間に前上横フレーム４０と後上横フレーム５０を取り付け、最後にブレース６０により各部を互いに分解可能に締結する。
【００６９】
右側面形成部材２０は、床面形成部材１０の上方から接近させて、右前縦フレーム２１の下端部を前下横フレーム１３のフレームガイド１３ｃと右下横フレーム１１の垂直片１１ａとの間に差し込み、かつ右後縦フレーム２２の下端を後下横フレーム１４のフレームガイド１４ｃと右下横フレーム１１の垂直片１１ａとの間に差し込み、床面形成部材１０の右下横フレーム１１の上部に起立させる。
【００７０】
これにより、右前縦フレーム２１の左右片２１ｂを前下横フレーム１３の垂直片１３ａの後面に対向して重なり合うように配置し、前下横フレーム１３の右側のボルト挿通孔１３ｄと右前縦フレーム２１のボルト挿通孔２１ｄとを連通させ、右後縦フレーム２２の左右片２２ｂを後下横フレーム１４の垂直片１４ａの前面に対向して重なり合うように配置し、後下横フレーム１４の右側のボルト挿通孔１４ｄと右後縦フレーム２２のボルト挿通孔２２ｄとを連通させる。
【００７１】
同様に、左側面形成部材３０は、床面形成部材１０の上方から接近させて、左前縦フレーム３１の下端部を前下横フレーム１３のフレームガイド１３ｃと左下横フレーム１２の垂直片１２ａとの間に差し込み、かつ左後縦フレーム２２の下端を後下横フレーム１４のフレームガイド１４ｃと左下横フレーム１２の垂直片１２ａとの間に差し込み、床面形成部材１０の左下横フレーム１２の上部に起立させる。そして、左前縦フレーム３１の左右片３１ｂを前下横フレーム１３の垂直片１３ａの後面に対向して重なり合うように配置し、前下横フレーム１３の左側のボルト挿通孔１３ｄと左前縦フレーム３１のボルト挿通孔３１ｄとを連通させ、左後縦フレーム３２の左右片３２ｂを後下横フレーム１４の垂直片１４ａの前面に対向して重なり合うように配置し、後下横フレーム１４の右側のボルト挿通孔１４ｄと左後縦フレーム３２のボルト挿通孔３２ｄとを連通させる。
【００７２】
そして、前上横フレーム４０を右前縦フレーム２１の上端部と左前縦フレーム３１の上端部との間に掛け渡すように載せ、後上横フレーム５０を右後縦フレーム２２の上端部と左後縦フレーム３２の上端部との間に掛け渡すように載せる。
【００７３】
各ブレース６０は、右前縦フレーム２１、左前縦フレーム３１、前下横フレーム１３、前上横フレーム４０によって形成される前面、及び右後縦フレーム２２、左後縦フレーム３２、後下横フレーム１４、後上横フレーム５０によって形成される後面においてそれぞれ対角線状に架設される。
【００７４】
例えば前面では、一方の締結手段６１によって前上横フレーム４０の右端部を右前縦フレーム２１の上端部に締結しかつ他方の締結手段６１によって左前縦フレーム３１の下端部を前下横フレーム１３の左端部に締結して、前上横フレーム４０の右端部と前下横フレーム１３の左端部との間にブレース６０を対角線状に架設する。そして、他方のブレース６０も、一方の締結手段６１によって前上横フレーム４０の左端部を左前縦フレーム３１の上端部に締結しかつ他方の締結手段６１によって右前縦フレーム２１の下端部を前下横フレーム１３の右端部に締結して、前上横フレーム４０の左端部と前下横フレーム１３の右端部との間に対角線状に架設する。
【００７５】
そして、後面では、一方の締結手段６１によって後上横フレーム５０の右端部を右後縦フレーム２２の上端部に締結しかつ他方の締結手段６１によって左後縦フレーム３２の下端部を後下横フレーム１４の左端部に締結して、後上横フレーム５０の右端部と後下横フレーム１４の左端部との間にブレース６０を対角線状に架設する。そして、他方のブレース６０も、一方の締結手段６１によって後上横フレーム５０の左端部を左後縦フレーム３２の上端部に締結しかつ他方の締結手段６１によって右後縦フレーム２２の下端部を後下横フレーム１４の右端部に締結して、後上横フレーム５０の左端部と、後下横フレーム１４の右端部との間に対角線状に架設する。
【００７６】
締結手段６１による締結は、例えば前面では、前上横フレーム４０の右端部と前下横フレーム１３の左端部との間に対角線状に架設されるブレース６０の場合には、一方の締結手段６１のボルト６３を右前縦フレーム２１の左右片２１ａの後側からボルト挿通孔２１ｃに挿通し、前上横フレーム４０の右端部のボルト挿通孔４０ｃを通過させて前方に突出させ、ボルト６３の先端にナット６４を螺合して、平板部６２とナット６４との間に、右前縦フレーム２１の左右片２１ａと前上横フレーム４０の垂直片４０ａを重ね合わせた状態で分解可能に締結する（図８、図１０、図１１を参照）。
【００７７】
同様に他方の締結手段６１のボルト６３を左前縦フレーム３１の左右片３１ａの後側からボルト挿通孔３１ｄに挿通史、前下横フレーム１３の左端部のボルト挿通孔４０ｃを通過させて前方に突出させ、ボルト６３の先端にナット６４を螺合して、平板部６２とナット６４との間に、左前縦フレーム３１の左右片３１ａと前下横フレーム１３の垂直片１３ａを重ね合わせた状態で分解可能に締結する（図５、図７を参照）。
【００７８】
そして、前面で前上横フレーム４０の左端部と前下横フレーム１３の右端部との間に対角線状に架設されるブレース６０、後面で後上横フレーム５０の右端部と後下横フレーム１４の左端部との間に対角線状に架設されるブレース６０、後上横フレーム５０の左端部と後下横フレーム１４の右端部との間に対角線状に架設されるブレース６０の場合も同様に分解可能に締結する。
【００７９】
上記組み立て作業により、分解組立式容器１は組み立てられ、床面形成部材１０の左下横フレーム１１、右下横フレーム１２，前下横フレーム１３、後下横フレーム１４の上にそれぞれ起立して周状に連続する右側面、左側面、前面、及び後面を形成し、所定の容積空間を有する容器を形成する。そして、分解組立式容器１の分解作業は、組立作業と逆の作業によって行われる。
【００８０】
上記構成を有する分解組立式容器１は、組立状態では、床面形成部材１０、右側面形成部材２０、左側面形成部材３０、前上横フレーム４０、後上横フレーム５０の各結合部分がそれぞれ各ブレース６０の締結手段６１によって分解可能に締結されるので、各部材が互いに固定されて全体の剛性が高くなり、各部材が有する強度を最大限利用でき、分解組立式容器１の構造を強固なものにすることができる。そして、前面において４箇所、後面において４箇所の合計で８箇所の結合部分において、ナット６４の締め付け又は取り外しを行うだけで、分解組立式容器１の組み立てと分解を行うことができるので、短い時間で分解組立式容器１の組み立て及び分解を完了することができ、分解組立の作業時間の短縮化を図ることができる。
【００８１】
また、例えば右前縦フレーム２１のボルト挿通孔２１ｃと前上横フレーム４０の右端部のボルト挿通孔４０ｃにブレース６０のボルト６３を挿通する等、各結合部分のボルト挿通孔にボルト６３を挿通することによって、各結合部分の位置決めができる。そして、締結手段６１のボルト６３が平板部６２に一体に形成されているので、ボルト６３を各結合部分のボルト挿通孔に挿通してボルト６３の先端にナット６４を緩く締めるだけで各結合部分の仮止めができ、分解組立式容器１の仮組みを行うことができる。そして、仮組みした後、各結合部分のナット６４をそれぞれ締め付けることによって、分解組立式容器１の組み立てを完了することができる。したがって、分解組立式容器１の組み立てを容易に行うことができる。
【００８２】
特に、ブレース６０は、前面では右前縦フレーム２１及び左前縦フレーム２３の後方から前方に向かってボルト６３が挿通され、後面では右後縦フレーム２２及び左後縦フレーム３３の前方から後方に向かってボルト６３が挿通されるように取り付けられる。したがって、ボルト６３へのナット６４の螺合や取り外し作業を分解組立式容器１の外側で行うことができ、分解組立式容器１の組み立て及び分解を更に容易なものとすることができる。また、ブレース６０の平板部６２や丸棒部材６５を分解組立式容器１の内方に配置でき、外方への突出を抑えることができ、例えば、複数の分解組立式容器１を横に並べて配置したときに、互いに隣り合う分解組立式容器１との干渉を抑制し、より接近させて並べることができ、配置スペースを無駄なく有効に利用することができる。
【００８３】
また、上記分解組立式容器１は、組立状態の複数の分解組立式容器１を上下に積み重ねると、下方に位置する分解組立式容器１の各突起部４１、５１が、上方に積み重ねられる分解組立式容器１の脚部１７の切欠部１７ｄに嵌合してその位置決めをすることができる。したがって、上下に積み重ねられた複数の分解組立式容器１が互いに相対的に横方向にずれるのを防止することができ、積み重ね作業や積み卸し作業を容易なものとすることができる。
【００８４】
また、上記分解組立式容器１は、分解作業により、床面形成部材１０、右側面形成部材２０、左側面形成部材３０、前上横フレーム４０、後上横フレーム５０、ブレース６０の各部材に分解され、図３に示すように、右側面形成部材２０、左側面形成部材３０、前上横フレーム４０、後上横フレーム５０、４本のブレース６０を、床面形成部材１０の矩形枠部１５の中に収納することができ、更に、かかる分解収納状態で床面形成部材１０を複数上下に重ね合わせることができる。したがって、分解収納時の外形を最小にして小型化することができ、分解して輸送或いは保管するときの占有スペースを最小とし、収納に費やすコストを低くすることができる。また、床面形成部材１０を上下に重ね合わせた状態では、上方に位置する床面形成部材１０の脚部１７が、下方に位置する床面形成部材１０の矩形枠部１５の枠内に入り込み、垂直片１１ａ、１２ａ、１３ａ、１４ａと対向することによって、各床面形成部材１０が相対的に横方向にずれるのを防止できる。
【００８５】
また、上記分解組立式容器１は、床面形成部材１０、右側面形成部材２０、左側面形成部材３０、前上横フレーム４０、後上横フレーム５０、ブレース６０の各部材に分解可能な構成を有することから、使用等により部材の損傷が発生した場合には、その損傷した部材のみを交換することで修復を完了できる。したがって、コスト効果と資源の再利用への貢献を大きくすることができる。
【００８６】
尚、本発明は、上述の実施の形態に限定されるものではなく、本発明の趣旨を逸脱しない範囲で種々変更が可能である。例えば、上述の実施の形態では、分解組立式容器１は、自動車のノックダウン部品等を収容してコンテナに載せて輸送するのに用いるものを例に説明したが、他の用途、例えば部品の収納に用いるものであってもよい。
【図面の簡単な説明】
【００８７】
【図１】本実施の形態に係わる分解組立式容器の組み立て状態を示す斜視図である。
【図２】図１の分解斜視図である。
【図３】分解組立式容器の分解収納状態を示す斜視図である。
【図４】図４は図１のＡ方向矢視図である。
【図５】図４のＢ部拡大図である。
【図６】図５のＣ方向矢視図である。
【図７】図５のＤ方向矢視図である。
【図８】図４のＥ部拡大図である。
【図９】図８のＦ方向矢視図である。
【図１０】図８のＧ−Ｇ線断面図である。
【図１１】図１１は、図８のＨ方向矢視図である。
【図１２】突起部の他の実施例を示す斜視図である。
【図１３】従来技術を説明する図である。
【符号の説明】
【００８８】
１  分解組立式容器
１０  床面形成部材
１１  右下横フレーム（第１下横フレーム）
１２  左下横フレーム（第２下横フレーム）
１３  前下横フレーム（第３下横フレーム）
１４  後下横フレーム（第４下横フレーム）
１５  矩形枠部
１６  床板
２０  右側面形成部材（第１側面形成部材）
２１  右前縦フレーム（第１縦フレーム）
２２  右後縦フレーム（第２縦フレーム）
２３  右上横フレーム（第１上横フレーム）
３０  左側面形成部材（第２側面形成部材）
３１  左前縦フレーム（第３縦フレーム）
３２  左後縦フレーム（第４縦フレーム）
３３  左上横フレーム（第２上横フレーム）
４０  前上横フレーム（第３上横フレーム）
５０  後上横フレーム（第４上横フレーム）
６０  ブレース（第１ブレース、第２ブレース、第３ブレース、第４ブレース）
６１  締結手段（第１上部締結手段、第１下部締結手段、第２上部締結手段、第２下部締結手段、第３上部締結手段、第３下部締結手段、第４上部締結手段、第４下部締結手段）
【図１】
2006335433.tif 000003
【図２】
2006335433.tif 000004
【図３】
2006335433.tif 000005
【図４】
2006335433.tif 000006
【図５】
2006335433.tif 000007
【図６】
2006335433.tif 000008
【図７】
2006335433.tif 000009
【図８】
2006335433.tif 000010
【図９】
2006335433.tif 000011
【図１０】
2006335433.tif 000012
【図１１】
2006335433.tif 000013
【図１２】
2006335433.tif 000014
【図１３】
2006335433.tif 000015
【手続補正書】
【提出日】平成17年6月3日(2005.6.3)
【手続補正１】
【補正対象書類名】特許請求の範囲
【補正対象項目名】請求項３
【補正方法】変更
【補正の内容】
【請求項３】
前記床面形成部材は、下方に向かって突出する脚部を備え、
該脚部は、複数の前記容器を分解した状態で複数の前記床面形成部材を上下に積み重ねることにより下段に位置する床面形成部材の矩形枠部内に入り込み、下段の床面形成部材に対する相対的な位置決めを行う位置に設けられており、下段に位置する床面形成部材の床板と上段に位置する床面形成部材の床板との間に、前記第１側面形成部材、前記第２側面形成部材、前記第３上横フレーム、前記第４上横フレーム、前記第１ブレース、前記第２ブレース、前記第３ブレース、前記第４ブレースを収納可能な空間部を形成する高さを有することを特徴とする請求項１又は２に記載の分解組立式容器。